【手続補正書】
【提出日】平成15年11月26日(2003.11.26)
【手続補正１】
【補正対象書類名】明細書
【補正対象項目名】発明の名称
【補正方法】変更
【補正の内容】
【発明の名称】出力装置及び端末装置
【手続補正２】
【補正対象書類名】明細書
【補正対象項目名】特許請求の範囲
【補正方法】変更
【補正の内容】
【特許請求の範囲】
【請求項１】
特定のコンテンツを圧縮符号化し出力する出力装置であって、
前記特定のコンテンツに含まれる信号を２つ以上の異なる圧縮率で圧縮符号化した圧縮符号化データを蓄積する蓄積手段と、
前記蓄積手段に蓄積された前記圧縮符号化データのうち、いずれかを出力データとして出力する出力手段と、を備えることを特徴とする出力装置。
【請求項２】
前記出力装置はさらに、
前記特定のコンテンツに含まれる信号を２つ以上の異なる圧縮率で圧縮符号化し、それぞれ圧縮率の異なる２つ以上の圧縮符号化データを生成する符号化手段を有することを特徴とする請求項１記載の出力装置。
【請求項３】
前記符号化手段は、
ＭＰＥＧ２の符号化を行うＭＰＥＧ２符号化手段と、ＭＰＥＧ４の符号化を行うＭＰＥＧ４符号化手段とを含むことを特徴とする請求項２記載の出力装置。
【請求項４】
前記出力装置はさらに、
前記特定のコンテンツの圧縮率に関する情報を受信する受信手段を有し、
前記出力手段は、前記圧縮率に関する情報に基づき、前記出力データを選択することを特徴とする請求項１〜３いずれかに記載の出力装置。
【請求項５】
前記出力手段は、
出力データをデジタル変調するデジタル変調手段を含んで構成されることを特徴とする請求項１〜４いずれかに記載の出力装置。
【請求項６】
特定のコンテンツを圧縮符号化し出力する出力装置であって、
前記特定のコンテンツの圧縮率に関する情報を受信する受信手段と、
前記特定のコンテンツに含まれる信号を、前記圧縮率に関する情報に基づき決定した圧縮率で圧縮符号化する符号化手段と、
前記符号化手段により圧縮符号化されたデータを出力データとして出力する出力手段とを備え、
前記符号化手段は、２つ以上の圧縮率それぞれに対応して圧縮符号化することを特徴とする出力装置。
【請求項７】
前記符号化手段は、
ＭＰＥＧ２の符号化を行うＭＰＥＧ２符号化手段と、ＭＰＥＧ４の符号化を行うＭＰＥＧ４符号化手段とを含むことを特徴とする請求項６記載の出力装置。
【請求項８】
前記出力手段は、
出力データをデジタル変調するデジタル変調手段を含んで構成されることを特徴とする請求項６又は７記載の出力装置。
【請求項９】
特定のコンテンツを圧縮符号化し出力する出力装置であって、
前記特定のコンテンツに含まれる信号を２つ以上の異なる圧縮率で圧縮符号化した圧縮符号化データを蓄積する蓄積手段と、
前記特定のコンテンツの圧縮率に関する情報を受信する受信手段と、
前記特定のコンテンツに含まれる信号を、２つ以上の異なる圧縮率で圧縮符号化し、それぞれ圧縮率の異なる２つ以上の圧縮符号化データを生成して前記蓄積手段に出力すると共に、前記圧縮率に関する情報に基づき決定した圧縮率で圧縮符号化する符号化手段と、
前記圧縮率に関する情報に基づき、前記蓄積手段に蓄積された前記圧縮符号化データを選択し、あるいは前記符号化手段により圧縮符号化されたデータを選択して、出力データとして出力する出力手段と、を備えることを特徴とする出力装置。
【請求項１０】
前記符号化手段は、
ＭＰＥＧ２の符号化を行うＭＰＥＧ２符号化手段と、ＭＰＥＧ４の符号化を行うＭＰＥＧ４符号化手段とを含むことを特徴とする請求項９記載の出力装置。
【請求項１１】
前記出力手段は、
出力データをデジタル変調するデジタル変調手段を含んで構成されることを特徴とする請求項９又は１０記載の出力装置。
【請求項１２】
前記出力装置はさらに、
コンテンツの圧縮率毎の視聴料金と前記出力データの圧縮率に基づいた課金情報とを管理する課金管理手段を有することを特徴とする請求項１〜５いずれかに記載の出力装置。
【請求項１３】
前記出力装置はさらに、
コンテンツの圧縮率毎の視聴料金と前記出力データの圧縮率に基づいた課金情報とを管理する課金管理手段を有することを特徴とする請求項６〜８いずれかに記載の出力装置。
【請求項１４】
前記出力装置はさらに、
コンテンツの圧縮率毎の視聴料金と前記出力データの圧縮率に基づいた課金情報とを管理する課金管理手段を有することを特徴とする請求項９〜１１いずれかに記載の出力装置。
【請求項１５】
前記出力装置はさらに、
コンテンツの圧縮率毎の選択回数を管理するコンテンツ管理手段とを有することを特徴とする請求項１〜５、１２いずれかに記載の出力装置。
【請求項１６】
前記出力装置はさらに、
コンテンツの圧縮率毎の選択回数を管理するコンテンツ管理手段とを有することを特徴とする請求項６〜８、１３いずれかに記載の出力装置。
【請求項１７】
前記出力装置はさらに、
コンテンツの圧縮率毎の選択回数を管理するコンテンツ管理手段とを有することを特徴とする請求項９〜１１、１４いずれかに記載の出力装置。
【請求項１８】
前記コンテンツ管理手段はさらに、
コンテンツの管理方法を変更するための情報を生成することを特徴とする請求項１５記載の出力装置。
【請求項１９】
前記コンテンツ管理手段はさらに、
コンテンツの管理方法を変更するための情報を生成することを特徴とする請求項１６記載の出力装置。
【請求項２０】
前記コンテンツ管理手段はさらに、
コンテンツの管理方法を変更するための情報を生成することを特徴とする請求項１７記載の出力装置。
【請求項２１】
前記コンテンツ管理手段は、
前記情報が、前記特定のコンテンツの一方の圧縮符号化データを前記蓄積手段から消去するためのものであることを特徴とする請求項１８又は２０記載の出力装置。
【請求項２２】
前記コンテンツ管理手段は、
各コンテンツの内、前記蓄積手段から消去する圧縮符号化データの順序を決定するための情報を出力することを特徴とする請求項２０記載の出力装置。
【請求項２３】
前記コンテンツ管理手段は、
前記情報が、コンテンツの圧縮率毎の視聴料金を変更するためのものであることを特徴とする請求項１８〜２２いずれかに記載の出力装置。
【請求項２４】
特定のコンテンツを再生する端末装置であって、
前記特定のコンテンツに対応する２つ以上の圧縮率に関する情報と前記特定のコンテンツの圧縮符号化データとを受信する受信手段と、
受信した前記圧縮率に関する情報の選択を行う端末操作手段と、
選択した圧縮率に関する情報を示す制御信号を送信する送信手段と、
前記受信手段が受信する前記特定のコンテンツ圧縮符号化データは、送信された前記制御信号が示す圧縮率で圧縮符号化されたデータであって、
受信した前記圧縮符号化データの前記圧縮率に基づき、受信した前記圧縮符号化データを復号伸長する復号化手段とを備え、
前記復号化手段は、２つ以上の異なる圧縮率それぞれに対応して復号伸長することを特徴とする端末装置。
【請求項２５】
前記復号化手段は、
ＭＰＥＧ２の復号化を行うＭＰＥＧ２復号化手段と、ＭＰＥＧ４の復号化を行うＭＰＥＧ４復号化手段とを含むことを特徴とする請求項２４記載の出力装置。
【請求項２６】
前記送信手段は、
送信信号をデジタル変調するデジタル変調手段を含んで構成されることを特徴とする請求項２４又は２５記載の出力装置。
【手続補正３】
【補正対象書類名】明細書
【補正対象項目名】０００１
【補正方法】変更
【補正の内容】
【０００１】
【発明の属する技術分野】
本発明は、映像のプログラムを視聴者の要求に応じて出力する出力装置と、ビデオオンデマンドの出力装置に対して特定のプログラムを要求して受信再生する端末装置に関するものである。


【手続補正４】
【補正対象書類名】明細書
【補正対象項目名】００２６
【補正方法】変更
【補正の内容】
【００２６】
【課題を解決するための手段】
本発明の出力装置は、特定のコンテンツを圧縮符号化し出力する出力装置であって、前記特定のコンテンツに含まれる信号を２つ以上の異なる圧縮率で圧縮符号化した圧縮符号化データを蓄積する蓄積手段と、前記蓄積手段に蓄積された前記圧縮符号化データのうち、いずれかを出力データとして出力する出力手段と、を備えることを特徴とする。
又本発明の出力装置は、特定のコンテンツを圧縮符号化し出力する出力装置であって、前記特定のコンテンツの圧縮率に関する情報を受信する受信手段と、前記特定のコンテンツに含まれる信号を、前記圧縮率に関する情報に基づき決定した圧縮率で圧縮符号化する符号化手段と、前記符号化手段により圧縮符号化されたデータを出力データとして出力する出力手段とを備え、前記符号化手段は、２つ以上の圧縮率それぞれに対応して圧縮符号化することを特徴とする。
又本発明の出力装置は、特定のコンテンツを圧縮符号化し出力する出力装置であって、前記特定のコンテンツに含まれる信号を２つ以上の異なる圧縮率で圧縮符号化した圧縮符号化データを蓄積する蓄積手段と、前記特定のコンテンツの圧縮率に関する情報を受信する受信手段と、前記特定のコンテンツに含まれる信号を、２つ以上の異なる圧縮率で圧縮符号化し、それぞれ圧縮率の異なる２つ以上の圧縮符号化データを生成して前記蓄積手段に出力すると共に、前記圧縮率に関する情報に基づき決定した圧縮率で圧縮符号化する符号化手段と、前記圧縮率に関する情報に基づき、前記蓄積手段に蓄積された前記圧縮符号化データを選択し、あるいは前記符号化手段により圧縮符号化されたデータを選択して、出力データとして出力する出力手段と、を備えることを特徴とする。
本発明の端末装置は、特定のコンテンツを再生する端末装置であって、前記特定のコンテンツに対応する２つ以上の圧縮率に関する情報と前記特定のコンテンツの圧縮符号化データとを受信する受信手段と、受信した前記圧縮率に関する情報の選択を行う端末操作手段と、選択した圧縮率に関する情報を示す制御信号を送信する送信手段と、前記受信手段が受信する前記特定のコンテンツ圧縮符号化データは、送信された前記制御信号が示す圧縮率で圧縮符号化されたデータであって、受信した前記圧縮符号化データの前記圧縮率に基づき、受信した前記圧縮符号化データを復号伸長する復号化手段とを備え、前記復号化手段は、２つ以上の異なる圧縮率それぞれに対応して復号伸長することを特徴とする。
又発明の出力装置は、視聴者の端末装置からの要求に基づき、特定のプログラムの映像及び音声信号を前記端末装置に伝送するビデオオンデマンド送信装置であって、複数のプログラムの映像及び音声信号を信号源より入力する映像入力手段と、前記映像入力手段を介して入力された各プログラムの信号を少なくとも２つ以上の異なった圧縮率で圧縮符号化する複数の符号化手段と、前記符号化手段によって圧縮符号化された映像及び音声のデータを蓄積する圧縮信号蓄積手段と、複数のプログラム内容と圧縮符号化方法を示す送信メニューを送出すると共に、前記端末装置から送信されたメニュー選択結果を含む制御信号を受信し、前記圧縮信号蓄積手段に対してメニュー選択結果を与えて指定された圧縮符号化の映像及び音声データを読み出し、そのデータを前記端末装置に送信する送受信手段と、前記圧縮信号蓄積手段から読み出されたプログラムに対して、圧縮符号化方法に応じて課金管理を行う課金管理手段と、を具備し、前記端末装置で前記メニューにより特定のプログラムが選択されたとき、そのプログラムの映像及び音声信号を指定された方法で圧縮符号化し、映像及び音声データを前記端末装置に伝送するようにしてもよい。
【手続補正５】
【補正対象書類名】明細書
【補正対象項目名】００２７
【補正方法】変更
【補正の内容】
【００２７】
また本発明では、前記送受信手段は、送受信データをデジタル変復調するデジタル変復調手段を含んで構成するようにしてもよい。
【手続補正６】
【補正対象書類名】明細書
【補正対象項目名】００２８
【補正方法】変更
【補正の内容】
【００２８】
また本発明では、前記送受信手段は、送信すべき映像及び音声データと制御信号をＡＴＭのセルに変換して送信し、受信したセルを制御信号に分解するＡＴＭ伝送手段を含んで構成するようにしてもよい。
【手続補正７】
【補正対象書類名】明細書
【補正対象項目名】００２９
【補正方法】変更
【補正の内容】
【００２９】
また本発明では、前記符号化手段は、ＭＰＥＧ１の符号化を行うＭＰＥＧ１符号化手段と、ＭＰＥＧ２の符号化を行うＭＰＥＧ２符号化手段とを含んで構成するようにしてもよい。
【手続補正８】
【補正対象書類名】明細書
【補正対象項目名】００３０
【補正方法】変更
【補正の内容】
【００３０】
また本発明では、請求項１記載のビデオオンデマンド送信装置から送信された映像及び音声データを受信してプログラムを再生するビデオオンデマンド端末装置であって、前記ビデオオンデマンド送信装置に対してプログラムの選択結果及び前記プログラムの圧縮符号化方法を示す制御信号を発生する端末操作手段と、前記端末操作手段で生成された制御信号を前記ビデオオンデマンド送信装置に対して送信すると共に、前記ビデオオンデマンド送信装置から送信された映像及び音声データ並びに送信メニューを受信する送受信手段と、前記送受信手段で受信された映像及び音声データを復号伸長する復号化手段と、を具備するようにしてもよい。
【手続補正９】
【補正対象書類名】明細書
【補正対象項目名】００３１
【補正方法】変更
【補正の内容】
【００３１】
また本発明では、前記送受信手段は、送受信データをデジタル変復調するデジタル変復調手段を含んで構成するようにしてもよい。
【手続補正１０】
【補正対象書類名】明細書
【補正対象項目名】００３２
【補正方法】変更
【補正の内容】
【００３２】
また本発明では、前記送受信手段は、送信すべき前記制御信号をＡＴＭのセルに変換して送信し、受信したセルを制御信号と映像及び音声データに分解するＡＴＭ伝送手段を含んで構成するようにしてもよい。
【手続補正１１】
【補正対象書類名】明細書
【補正対象項目名】００３３
【補正方法】変更
【補正の内容】
【００３３】
また本発明では、視聴者の端末装置からの要求に基づき、特定のプログラムの映像及び音声信号を前記端末装置に伝送するビデオオンデマンド送信装置であって、複数のプログラムの映像及び音声信号を信号源より入力する映像入力手段と、前記映像入力手段を介して入力された各プログラムの信号を少なくとも２つ以上の異なった圧縮率で圧縮符号化する複数の符号化手段と、前記符号化手段によって圧縮符号化された映像及び音声のデータを蓄積する圧縮信号蓄積手段と、複数のプログラム内容と圧縮符号化方法を示す送信メニューを送出すると共に、前記端末装置から送信されたメニュー選択結果を含む制御信号を受信し、前記圧縮信号蓄積手段に対してメニュー選択結果を与えて指定された圧縮符号化の映像及び音声データを読み出し、そのデータを前記端末装置に送信する送受信手段と、前記圧縮信号蓄積手段から読み出されたプログラムに対して、圧縮符号化方法に応じて課金管理を行うと共に、各プログラムのリクエスト回数及び圧縮符号化方法の指定回数を管理し、その集計結果に応じて前記圧縮信号蓄積手段における各プログラムの管理方法を変更するプログラム管理手段と、を具備し、前記端末装置で前記メニューにより特定のプログラムが選択されたとき、そのプログラムの映像及び音声信号を指定された方法で圧縮符号化し、映像及び音声データを前記端末装置に伝送するようにしてもよい。
【手続補正１２】
【補正対象書類名】明細書
【補正対象項目名】００３４
【補正方法】変更
【補正の内容】
【００３４】
また本発明では、前記プログラム管理手段は、各プログラムのリクエスト回数の少ない方を優先して前記圧縮信号蓄積手段からプログラムデータを消去するようにしてもよい。
【手続補正１３】
【補正対象書類名】明細書
【補正対象項目名】００３５
【補正方法】変更
【補正の内容】
【００３５】
また本発明では、前記プログラム管理手段は、各プログラムのリクエスト回数に応じて圧縮符号化方法別の料金を変更するようにしてもよい。
【手続補正１４】
【補正対象書類名】明細書
【補正対象項目名】００３６
【補正方法】変更
【補正の内容】
【００３６】
また本発明では、前記プログラム管理手段は、各プログラムのリクエスト回数に応じて、前記圧縮信号蓄積手段からプログラムデータの消去順序を決定すると共に、各プログラムの圧縮符号化方法毎の料金を変更するようにしてもよい。
【手続補正１５】
【補正対象書類名】明細書
【補正対象項目名】００３７
【補正方法】変更
【補正の内容】
【００３７】
また本発明では、前記送受信手段は、送受信データをデジタル変復調するデジタル変復調手段を含んで構成するようにしてもよい。
【手続補正１６】
【補正対象書類名】明細書
【補正対象項目名】００３８
【補正方法】変更
【補正の内容】
【００３８】
また本発明では、前記送受信手段は、送信すべき映像及び音声データと制御信号をＡＴＭのセルに変換して送信し、受信したセルを制御信号に分解するＡＴＭ伝送手段を含んで構成するようにしてもよい。
【手続補正１７】
【補正対象書類名】明細書
【補正対象項目名】００３９
【補正方法】変更
【補正の内容】
【００３９】
また本発明では、前記符号化手段は、ＭＰＥＧ１の符号化を行うＭＰＥＧ１符号化手段と、ＭＰＥＧ２の符号化を行うＭＰＥＧ２符号化手段とを含んで構成するようにしてもよい。
【手続補正１８】
【補正対象書類名】明細書
【補正対象項目名】００４０
【補正方法】変更
【補正の内容】
【００４０】
また本発明では、請求項８記載のビデオオンデマンド送信装置から送信された映像及び音声データを受信してプログラムを再生するビデオオンデマンド端末装置であって、前記ビデオオンデマンド送信装置に対してプログラムの選択結果及び前記プログラムの圧縮符号化方法を示す制御信号を発生する端末操作手段と、前記端末操作手段で生成された制御信号を前記ビデオオンデマンド送信装置に対して送信すると共に、前記ビデオオンデマンド送信装置から送信された映像及び音声データ並びに送信メニューを受信する送受信手段と、前記送受信手段で受信された映像及び音声データを復号伸長する復号化手段と、を具備するようにしてもよい。
【手続補正１９】
【補正対象書類名】明細書
【補正対象項目名】００４１
【補正方法】変更
【補正の内容】
【００４１】
また本発明では、前記送受信手段は、送受信データをデジタル変復調するデジタル変復調手段を含んで構成するようにしてもよい。
【手続補正２０】
【補正対象書類名】明細書
【補正対象項目名】００４２
【補正方法】変更
【補正の内容】
【００４２】
また本発明では、前記送受信手段は、送信すべき前記制御信号をＡＴＭのセルに変換して送信し、受信したセルを制御信号と映像及び音声データに分解するＡＴＭ伝送手段を含んで構成するようにしてもよい。
【手続補正２１】
【補正対象書類名】明細書
【補正対象項目名】００４３
【補正方法】変更
【補正の内容】
【００４３】
また本発明では、視聴者の端末装置からの要求に基づき、特定のプログラムの映像及び音声信号を前記端末装置に伝送するビデオオンデマンド送信装置であって、複数のプログラムの映像及び音声信号を蓄積する原信号蓄積手段と、前記原信号蓄積手段から出力された各プログラムの信号を少なくとも２つ以上の異なった圧縮率で圧縮符号化する複数の符号化手段と、複数のプログラム内容と圧縮符号化方法を示す送信メニューを送出すると共に、前記端末装置から送信されたメニュー選択結果を含む制御信号を受信し、前記符号化手段に対してメニュー選択結果を与えて指定された圧縮符号化の映像及び音声データを出力するよう指示し、そのデータを前記端末装置に送信する送受信手段と、前記符号化手段から出力されたプログラムに対して、圧縮符号化方法に応じて課金管理を行う課金管理手段と、を具備し、前記端末装置で前記メニューにより特定のプログラムが選択されたとき、そのプログラムの映像及び音声信号を指定された方法で圧縮符号化し、映像及び音声データを前記端末装置に伝送するようにしてもよい。
【手続補正２２】
【補正対象書類名】明細書
【補正対象項目名】００４４
【補正方法】変更
【補正の内容】
【００４４】
また本発明では、前記送受信手段は、送受信データをデジタル変復調するデジタル変復調手段を含んで構成するようにしてもよい。
【手続補正２３】
【補正対象書類名】明細書
【補正対象項目名】００４５
【補正方法】変更
【補正の内容】
【００４５】
また本発明では、前記送受信手段は、送信すべき映像及び音声データと制御信号をＡＴＭのセルに変換して送信し、受信したセルを制御信号に分解するＡＴＭ伝送手段を含んで構成するようにしてもよい。
【手続補正２４】
【補正対象書類名】明細書
【補正対象項目名】００４６
【補正方法】変更
【補正の内容】
【００４６】
また本発明では、前記符号化手段は、ＭＰＥＧ１の符号化を行うＭＰＥＧ１符号化手段と、ＭＰＥＧ２の符号化を行うＭＰＥＧ２符号化手段とを含んで構成するようにしてもよい。
【手続補正２５】
【補正対象書類名】明細書
【補正対象項目名】００４７
【補正方法】変更
【補正の内容】
【００４７】
また本発明では、請求項１８記載のビデオオンデマンド送信装置から送信された映像及び音声データを受信してプログラムを再生するビデオオンデマンド端末装置であって、前記ビデオオンデマンド送信装置に対してプログラムの選択結果及び前記プログラムの圧縮符号化方法を示す制御信号を発生する端末操作手段と、前記端末操作手段で生成された制御信号を前記ビデオオンデマンド送信装置に対して送信すると共に、前記ビデオオンデマンド送信装置から送信された映像及び音声データ並びに送信メニューを受信する送受信手段と、前記送受信手段で受信された映像及び音声データを復号伸長する復号化手段と、を具備するようにしてもよい。
【手続補正２６】
【補正対象書類名】明細書
【補正対象項目名】００４８
【補正方法】変更
【補正の内容】
【００４８】
また本発明では、前記送受信手段は、送受信データをデジタル変復調するデジタル変復調手段を含んで構成するようにしてもよい。
【手続補正２７】
【補正対象書類名】明細書
【補正対象項目名】００４９
【補正方法】変更
【補正の内容】
【００４９】
また本発明では、前記送受信手段は、送信すべき前記制御信号をＡＴＭのセルに変換して送信し、受信したセルを制御信号と映像及び音声データに分解するＡＴＭ伝送手段を含んで構成するようにしてもよい。
【手続補正２８】
【補正対象書類名】明細書
【補正対象項目名】００５０
【補正方法】変更
【補正の内容】
【００５０】
また本発明では、視聴者の端末装置からの要求に基づき、特定のプログラムの映像及び音声信号を前記端末装置に伝送するビデオオンデマンド送信装置であって、複数のプログラムの映像及び音声信号を蓄積する原信号保持手段と、前記原信号保持手段から出力された各プログラムの信号を少なくとも２つ以上の異なった圧縮率で圧縮符号化する複数の符号化手段と、前記符号化手段によって圧縮符号化された映像及び音声のデータを蓄積する圧縮信号蓄積手段と、複数のプログラム内容と圧縮符号化方法を示す送信メニューを送出すると共に、前記端末装置から送信されたメニュー選択結果を含む制御信号を受信し、前記符号化手段に対してメニュー選択結果を与えて指定された圧縮符号化の映像及び音声データを出力するよう指示し、そのデータを前記端末装置に送信する送受信手段と、前記圧縮信号蓄積手段から読み出されたプログラムに対して、圧縮符号化方法に応じて課金管理を行うと共に、各プログラムのリクエスト回数及び圧縮符号化方法の指定回数を管理し、その集計結果に応じて前記圧縮信号蓄積手段における各プログラムの管理方法を変更するプログラム管理手段と、を具備し、前記端末装置で前記メニューにより特定のプログラムが選択されたとき、そのプログラムの映像及び音声信号を指定された方法で圧縮符号化し、映像及び音声データを前記端末装置に伝送するようにしてもよい。
【手続補正２９】
【補正対象書類名】明細書
【補正対象項目名】００５１
【補正方法】変更
【補正の内容】
【００５１】
また本発明では、前記プログラム管理手段は、各プログラムのリクエスト回数の少ない方を優先して前記圧縮信号蓄積手段からプログラムデータを消去するようにしてもよい。
【手続補正３０】
【補正対象書類名】明細書
【補正対象項目名】００５２
【補正方法】変更
【補正の内容】
【００５２】
また本発明では、前記プログラム管理手段は、各プログラムのリクエスト回数に応じて圧縮符号化方法別の料金を変更するようにしてもよい。
【手続補正３１】
【補正対象書類名】明細書
【補正対象項目名】００５３
【補正方法】変更
【補正の内容】
【００５３】
また本発明では、前記プログラム管理手段は、各プログラムのリクエスト回数に応じて、前記圧縮信号蓄積手段からプログラムデータの消去順序を決定すると共に、各プログラムの圧縮符号化方法毎の料金を変更するようにしてもよい。
【手続補正３２】
【補正対象書類名】明細書
【補正対象項目名】００５４
【補正方法】変更
【補正の内容】
【００５４】
また本発明では、前記送受信手段は、送受信データをデジタル変復調するデジタル変復調手段を含んで構成するようにしてもよい。
【手続補正３３】
【補正対象書類名】明細書
【補正対象項目名】００５５
【補正方法】変更
【補正の内容】
【００５５】
また本発明では、前記送受信手段は、送信すべき映像及び音声データと制御信号をＡＴＭのセルに変換して送信し、受信したセルを制御信号に分解するＡＴＭ伝送手段を含んで構成するようにしてもよい。
【手続補正３４】
【補正対象書類名】明細書
【補正対象項目名】００５６
【補正方法】変更
【補正の内容】
【００５６】
また本発明では、前記符号化手段は、ＭＰＥＧ１の符号化を行うＭＰＥＧ１符号化手段と、ＭＰＥＧ２の符号化を行うＭＰＥＧ２符号化手段とを含んで構成するようにしてもよい。
【手続補正３５】
【補正対象書類名】明細書
【補正対象項目名】００５７
【補正方法】変更
【補正の内容】
【００５７】
また本発明では、請求項２５記載のビデオオンデマンド送信装置から送信された映像及び音声データを受信してプログラムを再生するビデオオンデマンド端末装置であって、前記ビデオオンデマンド送信装置に対してプログラムの選択結果及び前記プログラムの圧縮符号化方法を示す制御信号を発生する端末操作手段と、前記端末操作手段で生成された制御信号を前記ビデオオンデマンド送信装置に対して送信すると共に、前記ビデオオンデマンド送信装置から送信された映像及び音声データ並びに送信メニューを受信する送受信手段と、前記送受信手段で受信された映像及び音声データを復号伸長する復号化手段と、を具備するようにしてもよい。
【手続補正３６】
【補正対象書類名】明細書
【補正対象項目名】００５８
【補正方法】変更
【補正の内容】
【００５８】
また本発明では、前記送受信手段は、送受信データをデジタル変復調するデジタル変復調手段を含んで構成するようにしてもよい。
【手続補正３７】
【補正対象書類名】明細書
【補正対象項目名】００５９
【補正方法】変更
【補正の内容】
【００５９】
また本発明では、前記送受信手段は、送信すべき前記制御信号をＡＴＭのセルに変換して送信し、受信したセルを制御信号と映像及び音声データに分解するＡＴＭ伝送手段を含んで構成するようにしてもよい。
【手続補正３８】
【補正対象書類名】明細書
【補正対象項目名】００６０
【補正方法】変更
【補正の内容】
【００６０】
本発明の構成によれば、視聴者が端末操作手段により送信装置にリクエストをする場合、その情報は送受信手段において制御信号に変換され、伝送路を通して送信装置に送信される。送信装置においては、伝送路を通して伝送されてきた端末からの制御信号が送受信手段において受信され、圧縮信号蓄積手段に入力される。圧縮信号蓄積手段においては端末装置からの制御信号が解読され、視聴者の要求するプログラム及び圧縮率のデータが送受信手段に転送される。そして送受信手段によって伝送路を通して、その映像及び音声データが端末装置に送信される。端末装置においては、伝送路を通して伝送されてきた放送局からの映像及び音声データが送受信手段において受信され、受信されたデータは復号化手段において伸張され、リクエストしたプログラムがリクエストした画質（圧縮率）でモニタに映し出される。


【手続補正３９】
【補正対象書類名】明細書
【補正対象項目名】００６１
【補正方法】変更
【補正の内容】
【００６１】
本発明の構成によれば、圧縮信号蓄積手段に蓄積されたデジタル信号は、事前に映像入力手段から入力された映像及び音声信号をもとに、少なくとも２つ以上の異なった圧縮率でデジタル圧縮可能な符号化手段により生成され、少なくとも２つ以上の異なった圧縮率でデジタル圧縮された各プログラムが圧縮信号蓄積手段に記憶されている。さらに、課金管理手段は、圧縮信号蓄積手段に蓄積されたプログラムを、同一プログラムであっても圧縮率が異なれば別料金として課金管理を行う。


【手続補正４０】
【補正対象書類名】明細書
【補正対象項目名】００６３
【補正方法】変更
【補正の内容】
【００６３】
本発明の構成によれば、圧縮信号蓄積手段に蓄積されたデジタル信号は、事前に映像入力手段から入力された映像及び音声信号をもとに、少なくとも２つ以上の異なった圧縮率でデジタル圧縮可能な符号化手段により生成され、２つ以上の異なった圧縮率でデジタル圧縮された各プログラムが圧縮信号蓄積手段に記憶されている。


【手続補正４１】
【補正対象書類名】明細書
【補正対象項目名】００６６
【補正方法】変更
【補正の内容】
【００６６】
また本発明の構成によれば、視聴者が端末操作手段により送信装置にリクエストする場合、その情報は送受信手段において制御信号に変換され、伝送路を通して送信装置に送信される。送信装置においては、伝送路を通して伝送されてきた端末装置からの制御信号が送受信手段において受信され、原信号蓄積手段又は原信号保持手段に転送される。原信号蓄積手段においては端末装置からの制御信号が解読され、リクエストのあったプログラム信号が読み出される。そして読み出された原信号は符号化手段において、視聴者の要求する圧縮率でデジタル圧縮される。デジタル圧縮された映像及び音声データは送受信手段に伝送され、送受信手段によって伝送路を通して、その映像及び音声データが端末装置に送信される。


【手続補正４２】
【補正対象書類名】明細書
【補正対象項目名】００６８
【補正方法】変更
【補正の内容】
【００６８】
本発明の構成によれば、課金管理手段は、原信号蓄積手段に蓄積されたプログラムを、同一プログラムであっても符号化手段で行う圧縮率が異なれば別料金としてリクエストに応じて課金管理を行う。


【手続補正４３】
【補正対象書類名】明細書
【補正対象項目名】００７０
【補正方法】変更
【補正の内容】
【００７０】
本発明の構成によれば、伝送路を通して伝送されてきた端末装置からの制御信号が送受信手段において受信され、圧縮信号蓄積手段及び原信号保持手段に伝送される。圧縮信号蓄積手段及び原信号保持手段においては端末装置からの制御信号が解読され、圧縮信号蓄積手段に蓄積されているプログラムがリクエストされた場合には、圧縮信号蓄積手段から視聴者の要求するプログラム及び圧縮率のデータが送受信手段に伝送される。また原信号保持手段に蓄積されているプログラムがリクエストされた場合には、原信号保持手段から視聴者の要求するプログラムが読み出され、読み出された原信号は符号化手段において視聴者の要求する圧縮率でデジタル圧縮されて送受信手段に伝送される。送受信手段に伝送された映像及び音声データは伝送路を通して、端末装置に送信される。


【手続補正４４】
【補正対象書類名】明細書
【補正対象項目名】０２０１
【補正方法】変更
【補正の内容】
【０２０１】
又本発明によれば、事前に映像入力手段から入力された各プログラムの映像及び音声信号を基に、少なくとも２つ以上の異なった圧縮率でデジタル圧縮されて圧縮信号蓄積手段に記憶されている。そして課金管理手段は、圧縮信号蓄積手段に蓄積されたプログラムを、同一プログラムであっても圧縮率が異なれば別料金として課金管理を行うことができる。


【手続補正４５】
【補正対象書類名】明細書
【補正対象項目名】０２０２
【補正方法】変更
【補正の内容】
【０２０２】
又本発明によれば、事前に映像入力手段から入力された各プログラムの映像及び音声信号を基に、少なくとも２つ以上の異なった圧縮率でデジタル圧縮されて圧縮信号蓄積手段に記憶されている。そしてプログラム管理手段は、圧縮信号蓄積手段に蓄積されたプログラムを、同一プログラムであっても圧縮率が異なれば別料金として課金管理を行うと共に、各プログラムの圧縮率毎のリクエスト回数を管理し、そのリクエスト回数の情報に応じて各プログラムに関する管理を行うことができる。従って各プログラム毎に、例えばリクエスト頻度の少ない圧縮率のデータを圧縮信号蓄積手段から消去することにより、圧縮信号蓄積手段の記憶部を効率的に運用することができる。


【手続補正４６】
【補正対象書類名】明細書
【補正対象項目名】０２０３
【補正方法】変更
【補正の内容】
【０２０３】
又本発明によれば、課金管理手段は、原信号蓄積手段に蓄積されたプログラムを、同一プログラムであっても圧縮率が異なれば別料金としてリクエストに応じて課金管理を行うことができる。さらに、事前に映像入力手段から映像及び音声データを圧縮信号蓄積手段に蓄積する作業を省略することができる。


【手続補正４７】
【補正対象書類名】明細書
【補正対象項目名】０２０４
【補正方法】変更
【補正の内容】
【０２０４】
又本発明によれば、伝送路を通して伝送されてきた端末装置からの制御信号が送受信手段において受信されると、圧縮信号蓄積手段及び原信号保持手段においては端末装置からの制御信号が解読され、圧縮信号蓄積手段に蓄積されているプログラムがリクエストされた場合には、圧縮信号蓄積手段から視聴者の要求するプログラム及び圧縮率のデータを送受信手段に伝送することができる。また原信号保持手段に蓄積されているプログラムがリクエストされた場合には、原信号保持手段から視聴者の要求するプログラムが読み出され、読み出された原信号は符号化手段において視聴者の要求する圧縮率でデジタル圧縮されて送受信手段に伝送することができる。